【手続補正書】
【提出日】平成29年1月10日(2017.1.10)
【手続補正１】
【補正対象書類名】特許請求の範囲
【補正対象項目名】全文
【補正方法】変更
【補正の内容】
【特許請求の範囲】
【請求項１】
ケーブルコントロールアセンブリを有し、複数回の医療手順(medical procedure)で使用しうるよう構成且つ編成されている第１アセンブリと、
先端リンク延長アセンブリ(distal link extention assembly)を有し、上記第１アセンブリより少数回しか使用しえないよう構成且つ編成されている第２アセンブリと、
第１アセンブリ・第２アセンブリ間に連結され、上記先端リンク延長アセンブリが可除連結されるアーティキュレーティングプローブアセンブリを有し、且つそれが上記ケーブルコントロールアセンブリによりコントロールされる第３アセンブリであって、上記第２アセンブリより少数回しか使用しえないよう構成且つ編成されている第３アセンブリと、
を備えるロボティックイントロデューサシステム。
【請求項２】
請求項１記載のシステムであって、上記第１アセンブリが更にコンソールシステムを有するシステム。
【請求項３】
請求項１記載のシステムであって、上記第１アセンブリが、上記第３アセンブリが連結されるベースユニットを有するシステム。
【請求項４】
請求項１記載のシステムであって、上記第１アセンブリが、上記複数回の医療手順での使用に際し滅菌されないシステム。
【請求項５】
請求項１記載のシステムであって、上記第１アセンブリが、少なくとも２個の別の第２アセンブリに連結されるシステム。
【請求項６】
請求項１記載のシステムであって、上記第２アセンブリが少なくとも１本の器具案内チューブ(tool guide tube)を有するシステム。
【請求項７】
請求項６記載のシステムであって、更に、上記少なくとも１本の器具案内チューブにより可摺動収容されうるよう構成且つ編成された少なくとも１個の器具(tool)を備えるシステム。
【請求項８】
請求項７記載のシステムであって、上記少なくとも１個の器具が、吸引器、通風器、ライト、カメラ、把持器、レーザ、焼灼器、クリップアプライア、鋏、針、持針器、外科用メス、ＲＦエネルギ供給器、低温エネルギ供給器及びその組合せのなかから選ばれた器具を含むシステム。
【請求項９】
請求項６記載のシステムであって、上記少なくとも１本の器具案内チューブが、外側案内チューブと、当該外側案内チューブにより可摺動収容された内側案内チューブと、を有するシステム。
【請求項１０】
請求項６記載のシステムであって、上記少なくとも１本の器具案内チューブが上記先端リンク延長アセンブリに連結されているシステム。
【請求項１１】
請求項６記載のシステムであって、上記先端リンク延長アセンブリが少なくとも１個のサイドポートを有し、且つ上記少なくとも１本の器具案内チューブそれぞれが当該少なくとも１個のサイドポートのうち一つに連結されているシステム。
【請求項１２】
請求項６記載のシステムであって、上記先端リンク延長アセンブリが、更に、第１器具案内チューブに連結された第１サイドポートと、第２器具案内チューブに連結された第２サイドポートと、を有するシステム。
【請求項１３】
請求項１２記載のシステムであって、上記少なくとも１個のサイドポートがワーキングチャネルを有するシステム。
【請求項１４】
請求項１３記載のシステムであって、更に、上記ワーキングチャネル内に延びる器具を備えるシステム。
【請求項１５】
請求項１記載のシステムであって、上記先端リンク延長アセンブリがカメラアセンブリを有するシステム。
【請求項１６】
請求項１５記載のシステムであって、上記カメラアセンブリが、上記医療手順のうち少なくとも一つに関連する被写体の像を発生させるために被写体に関連する入射輻射を受領しリダイレクトするレンズアセンブリを有するシステム。
【請求項１７】
請求項１６記載のシステムであって、上記レンズアセンブリが、上記第２アセンブリより多数回使用しうるよう構成且つ編成されているシステム。
【請求項１８】
請求項１６記載のシステムであって、上記カメラアセンブリが、上記第２アセンブリより多数回使用しうるよう構成且つ編成されているシステム。
【請求項１９】
請求項１記載のシステムであって、上記第２アセンブリが、更に、上記アーティキュレーティングプローブアセンブリを可摺動受容しうるよう構成且つ編成された導入器(introduction device)を有するシステム。
【請求項２０】
請求項１９記載のシステムであって、上記アーティキュレーティングプローブアセンブリが上記導入器内に可摺動配置されるシステム。
【請求項２１】
請求項１９記載のシステムであって、上記第２アセンブリが、器具を可摺動受容しうるよう構成且つ編成された少なくとも１本の器具案内チューブを有し、当該少なくとも１本の器具案内チューブが上記導入器に直にアンカリングされているシステム。
【請求項２２】
請求項１９記載のシステムであって、上記第２アセンブリが、更に、上記導入器に連結されたベースを有するシステム。
【請求項２３】
請求項２２記載のシステムであって、上記第２アセンブリが、更に、上記少なくとも１本の器具案内チューブにより可摺動受容され且つ上記先端リンク延長アセンブリにアンカリングされた少なくとも１本の内側案内チューブを有するシステム。
【請求項２４】
請求項１９記載のシステムであって、上記第２アセンブリが、更に、案内チューブ支持体(guide tube support)を有するシステム。
【請求項２５】
請求項２４記載のシステムであって、上記第２アセンブリが、更に、案内チューブ支持体・ベース間に連結された少なくとも１個の外側案内チューブを有するシステム。
【請求項２６】
請求項２４記載のシステムであって、上記案内チューブ支持体がドッグボーンコネクタを有するシステム。
【請求項２７】
請求項２４記載のシステムであって、上記ベースが、上記導入器の少なくとも一部分を取り巻くカラー(collar)を有するシステム。
【請求項２８】
請求項１記載のシステムであって、上記第２アセンブリが使用と使用の合間に清掃、消毒及び／又は再殺菌されるシステム。
【請求項２９】
請求項１記載のシステムであって、上記第２アセンブリが当該第２アセンブリの寿命中に少なくとも２個の第３アセンブリに連結されるシステム。
【請求項３０】
請求項２９記載のシステムであって、上記第２アセンブリが別々の手順で上記少なくとも２個の第３アセンブリそれぞれに連結されるシステム。
【請求項３１】
請求項１記載のシステムであって、上記アーティキュレーティングプローブアセンブリが、当該アーティキュレーティングプローブアセンブリの操作を容易に行えるよう構成且つ編成された複数個のリンクを有するシステム。
【請求項３２】
請求項３１記載のシステムであって、上記第２アセンブリの先端リンク延長アセンブリが、上記アーティキュレーティングプローブアセンブリを構成する複数個のリンクの先端(distal end)にある先端連結リンク(distal connecting link)に連結されているシステム。
【請求項３３】
請求項１記載のシステムであって、上記第３アセンブリが、使い捨て向けに構成且つ編成されているシステム。
【請求項３４】
請求項１記載のシステムであって、上記アーティキュレーティングプローブアセンブリが、少なくとも１個のマルチリンク型内プローブ(inner probe)と、マルチリンク型外プローブ(outer probe)と、を有し、当該内及び外プローブを上記ケーブルコントロールアセンブリによりステアリング可能なシステム。
【請求項３５】
請求項３４記載のシステムであって、上記第３アセンブリが、上記アーティキュレーティングプローブアセンブリの動きをコントロールしうるよう上記第１アセンブリに連結されるプローブフィーダを有するシステム。
【手続補正２】
【補正対象書類名】明細書
【補正対象項目名】発明の名称
【補正方法】変更
【補正の内容】
【発明の名称】ロボティックイントロデューサシステム
【手続補正３】
【補正対象書類名】明細書
【補正対象項目名】００７０
【補正方法】変更
【補正の内容】
【００７０】
ある例では、カメラアセンブリが、上掲の医療手順のうち少なくとも一つに関連する被写体の像を発生させるために被写体に関連する入射輻射を受領しリダイレクトするレンズアセンブリを有する。